(57)【特許請求の範囲】
【請求項１】
高分子の濃縮のための濾過容器であって、該濾過容器は、濾液回収管（５）の中へ挿入可能であり、上部（２）、該上部（２）軸方向に隣接する中央部（３）、および、該中央部（３）軸方向に隣接する下部（４）を含み、
ここで、
−前記上部（３）は、中空円筒形のサンプル容器（７）を形成し、その上端面（８）上に入口開口部（９）を有し、
−下方にテーパー状の中央部（３）は、下方に互いに向かって伸びる２つの相互に対向する主壁（１２、１３）と、また、前記主壁をその外側縁において接続する２つの接続壁（１４、１５）とを有する、濾過チャンバ（１１）を形成し、少なくとも１つの主壁（１２、１３）は、平面膜フィルタ（１７）を受け入れるためのフィルタ窓（１６）を有し、および、
−下部（４）は、フィルタ窓（１６）の下縁（１８）に隣接する濃縮液チャンバ（２１）を形成し、限定主壁（２２、２３）および前記濃縮液チャンバの接続壁（２４、２５）は、主壁（１２、１３）および中央部（３）の接続壁（１４、１５）の延長平面であり、
濃縮液チャンバ（２１）の基部（２６）は、濃縮液チャンバ（２１）の第一接続壁（２４）が相互に対向する第二接続壁（２５）より短く、一側方に下方に勾配がつけられて形成され、
平面膜フィルタ（１７）の濾過チャンバ（１１）側でない側にあるその外面に、フィルタ窓（１６）の下縁（１８）の上方に隣接する並べて配置される複数の濾液チャネル（３２）を有するフィルタカバー（２９）を有し、濾液チャネル（３２）が、膜フィルタ（１７）側でない方向にあるその外面に向かって円錐形に拡大することを特徴とする、前記濾過容器。
【請求項２】
互いに向かって伸びる主壁（１２、１３）が平面で、接続壁（１４、１５）が上部（２）の中空円筒形の壁の延長であることを特徴とする、請求項１に記載の濾過容器。
【請求項３】
基部（２６）が平面で、接続壁（２４、２５）に対して曲線的な変化を有することを特徴とする、請求項１または２に記載の濾過容器。
【請求項４】
少なくとも濃縮液チャンバ（２１）が、化学的に不活性な材料から形成されることを特徴とする、請求項１〜３のいずれか一項に記載の濾過容器。
【請求項５】
濃縮液チャンバ（２１）が、ポリマーポリスチレンから形成されることを特徴とする、請求項４に記載の濾過容器。
【請求項６】
濃縮液チャンバ（２１）の基部（２６）が、傾斜角（２７）５°〜３０°で、フィルタ窓（１６）の水平下縁（１８）に対して傾斜されていることを特徴とする、請求項１〜５のいずれか一項に記載の濾過容器。
【請求項７】
傾斜角（２７）が、１５°であることを特徴とする、請求項６に記載の濾過容器。
【発明の詳細な説明】
【技術分野】
【０００１】
本発明は、特に高分子の濃縮のための濾過容器に関し、該濾過容器は、濾液回収管の中へ挿入可能であり、上部、該上部の軸方向に隣接する中央部、および、該中央部の軸方向に隣接する下部を含み、ここで、
−前記上部は、中空円筒形のサンプル容器を形成し、その上端面上に入口開口部を有し、
−下方にテーパー状の中央部は、下方に互いに向かって伸びる２つの相互に対向する主壁と、また、前記主壁をその外側縁において接続する２つのガセット様接続壁とを有する、濾過チャンバを形成し、少なくとも１つの主壁は、平面膜フィルタを受け入れるためのフィルタ窓を有し、および、
−下部は、フィルタ窓の下縁に隣接する濃縮液チャンバを形成し、限定主壁および前記濃縮液チャンバの接続壁は、主壁および中央部の接続壁  の延長平面である。
【背景技術】
【０００２】
高分子、特にタンパク質試料は、濾液回収管の中へ挿入され、限外濾過法を介して遠心分離式のユニットにおいて濃縮される、濾過容器において、５００μｌから２０ｍｌの容積範囲で濃縮される。限外濾過法の場合、濃縮液チャンバを濾過容器においてｄｅａｄ  ｓｔｏｐ  ｐｏｃｋｅｔとして知られる形式で提供するのが通常であり、これはサンプルが枯渇することを防ぐことを目的としている。ここで、濃縮されたサンプルは、濃縮液チャンバによって形成される死容積において収集され、ピペット操作によって再び回収される。
【０００３】
容積が非常に小さいため、濃縮物のすべてを回収することが、重要な意味を持つ。これは、わずか数マイクロリットルの損失であっても、最終の収率の高い割合の損失につながることを意味する。
【０００４】
ＥＰ０６５１６７５Ｂ１は、濾液回収管および遠心分離機において微細濃縮デバイスを回転させることで溶液から高分子を濃縮するための微細濃縮デバイスと併せて、高分子の濃縮のための濾過容器を開示しており、前記濾過容器は、濃縮容器において濃縮された高分子を収集する。既知の濾過容器は、上部、該上部軸方向に隣接する中央部、および、軸方向に隣接する下部から成る。
【０００５】
ここで、前記上部は、中空円筒形のサンプル容器を形成し、下方にテーパー状の中央部は、下方に互いに向かって伸びる２つの相互に対向する主壁と、また、前記主壁をその外側縁において接続する２つの接続壁とを有する、濾過チャンバを形成する。この主壁の少なくとも１つは、平面膜フィルタを受け入れるためのフィルタ窓を形成する。隣接する下部は、フィルタ窓の下縁に隣接する濃縮液チャンバを形成し、その限定主壁および接続壁は、主壁および中央部の接続壁の延長平面である。
【０００６】
この既知のデバイスは、原理的にその価値を証明しているが、完全なサンプルの回収が非常に困難であることが見出された。
【０００７】
さらにまた、遠心分離式の高分子の濃縮のための濾過容器は、特開昭６２−１１５６４号公報により知られている。実質的に中空円筒形の容器は、容器を縦方向に分割する円筒形挿入部を有し、シーリングカラー（ｓｅａｌｉｎｇ  ｃｏｌｌａｒ）を有する。ここで、勾配付きのアタッチメントが、カラーの上方に配置され、その入り口開口部が２５°〜４５°の角度のフィルタ膜によって覆われている。ここで、環状の濃縮液チャンバは、アタッチメントおよび周囲の容器壁の間に形成され、濃縮物は前記濃縮液チャンバにおいて収集される。
このデバイスを使用しても、完全および画定されたサンプル回収は非常に困難であることが見出された。
【発明の概要】
【発明が解決しようとする課題】
【０００８】
したがって、本発明の目的は、濃縮液チャンバを有し、ほぼ完全なサンプル回収を可能にする濾過容器を規定することにある。
【課題を解決するための手段】
【０００９】
この目的は、請求項１の序文とともに達成され、濃縮液チャンバの第一接続壁が相互に対向する第二接続壁より短く、一側方に下方に勾配がつけられて、濃縮液チャンバの基部が形成される。
【００１０】
傾斜様式で、下方に勾配がつけられた濃縮液チャンバの基部のため、サンプルまたは濃縮物のほぼ完全なサンプル回収が可能となり、濃縮物は濃縮液チャンバからピペットで取り出せる。ピペットは、その先端を濃縮液チャンバの基部における第二接続壁に隣接して配置させなければならない。
【００１１】
本発明の好ましい態様に基づいて、互いに向かって伸びる主壁は平面であり、接続壁は上部の中空円筒形壁の延長である。お互いに向かって伸びる主壁のため、濃縮液チャンバを小さい容積で作成または形成することが好ましい。
【００１２】
本発明のさらに好ましい態様に基づいて、基部は平面で、接続壁に対して曲線的な変化を有する。曲線的な変化のため、濃縮容器の最深地点向かう濃縮物の流出が望まれ、ピペットによる完全な吸引が改善される。
【００１３】
本発明のさらに好ましい態様に基づいて、その外面が濾過チャンバから離れる方向にある平面膜フィルタは、フィルタ窓の下縁の上方に隣接するフィルタカバーを有し、該フィルタカバーは、並べて配置される複数の濾液チャネルを有する。
【００１４】
本発明のさらに好ましい態様に基づいて、濾液チャネルは、膜フィルタから遠い側であるその外面に向かって円錐形に拡大する。ここで、濾液チャネルは、膜フィルタに向かって比較的小さな開口部を有し、濾液チャンバに対して画定された境界を形成し、前記濾液チャネルの拡大された出口開口部は、濾液回収管の中への濾液の流れに有利に働く。
【００１５】
本発明のさらに好ましい態様に基づいて、少なくとも濃縮液チャンバは、化学的に不活性な材料から、特にポリマーポリスチレンから形成される。ポリスチレンは、それが化学的に不活性であるという利点を有し、タンパク結合特性を有さない。本発明による設計のため、さらに化学的に不活性な濃縮されたサンプルまたは非常に小さな容積空間における濃縮物の収集が可能になる。
【００１６】
本発明のさらに好ましい態様に基づいて、濃縮液チャンバの基部は、傾斜角５°〜３０°、好ましくは約１５°で、フィルタ窓の水平下縁に対して傾斜される。
【００１７】
本発明のさらなる詳細は、本発明の好ましい態様が例示的に示される、以下の詳細な説明および添付の図面から明らかになる。
【図面の簡単な説明】
【００１８】
【図１】図１は、濾液回収管の密閉蓋を具備しない、分解図形式の濾液回収管を具備する濾過容器の３次元図を示す。
【図２】図２は、図１の濾液回収管の側面図を示す。
【図３】図３は、図１の濾液回収管の中へ挿入された、図１の濾過容器の断面の側面、および、取り付けられた密閉蓋を示す。
【図４】図４は、濾過容器および密閉蓋を具備する、図３の濾液回収管の断面ＩＶ−ＩＶの線に沿った、断面の側面を示す。
【図５】図５は、図４の濾過容器の側面を示す。
【図６】図６は、図３の細部ＶＩの拡大図を示す。
【図７】図７は、膜フィルタおよびフィルタカバーを具備しない、図５の濾過容器の断面の後面図を示す。
【図８】図８は、断面ＶＩＩＩ−ＶＩＩＩの線に沿った、図７の濾過容器の側面図を示す。
【図９】図９は、図７の濾過容器のＩＸ方向からの平面図を示す。
【発明を実施するための形態】
【００１９】
基本的に、濾過容器１は、上部２、中央部３および下部４から成る。
濾過容器１は、密閉蓋６によって密閉することのできる、濾液回収管５の中へ挿入することができる。上部２は、中空円筒形のサンプル容器７を形成し、その上端面８上に入口開口部９を有する。
【００２０】
その上端において、上部２は、濾液回収管５に対する栓として使用される周囲ビード１０を有する。上端面８から離れた側に面するその下端において、上部２は、中央部３へ変化する。中央部３は、垂直方向において下方にテーパー状であり、お互いに向かって下方に伸びる２つの相互に対向する主壁１２、１３、および、前記主壁をその外側縁において接続する２つのガセット様接続壁１４、１５を有する濾液チャンバ１１を形成する。平面膜フィルタ１７を受け入れるためのフィルタ窓１６が、接続壁１４、１５の各々に配置される。フィルタ窓１６の各々は下縁１８を有し、該下縁は、濾過容器１の縦軸１９を横切って伸び、下部４により垂直方向において下方に接合される。
【００２１】
下部４は、濃縮液チャンバ２１を形成し、接続壁２４、２５を具備するその限定主壁２２、２３は、濾過チャンバ１１の主壁１２、１３および接続壁１４、１５
の延長である。濃縮液チャンバ２１は、基部２６によって垂直方向において下方に画定される。濃縮液チャンバ２１の基部２６は、濃縮液チャンバ２１の第一接続壁２４が対向する第二接続壁２５より短く、一側方に下方に勾配がつけられるように形成される。平面基部２６は、約１５°の傾斜角２７でフィルタ窓１６の水平下縁１８に対して傾斜される。お互いに向かって伸びる主壁１２、１３の各々は、縦軸１９に対して約４°の傾斜角２８を形成する。
【００２２】
濃縮されたサンプルを受け入れるために、濃縮液チャンバは、下縁１８の下方に濃縮液容積２０（デッドスペース）を形成する。
フィルタ窓を密封方式で密閉する、平らな膜フィルタ１７は、フィルタ窓１６に配置される。膜フィルタ１７の各々は、濾過チャンバ１１から離れる方向にあるその外面を、主壁１２、１３に接続されるフィルタカバー２９によってカバーされる。ここでフィルタカバー２９は、内側肩部３０を介して、フィルタ窓１６の周囲凹部３１に係合する。フィルタカバー２９は、フィルタ窓１６の下縁１８の上方に隣接して並べて配置される、複数の濾液チャネル３２を有する。濾液チャネル３２は、膜フィルタ１７から離れる方向にあるその外面に向かって円錐形に拡大する
濾過容器１は、ポリマーポリスチレンから形成される
【符号の説明】
【００２３】
１．濾過容器
２．上部
３．中央部
４．下部
５．濾液回収管
６．密閉蓋
７．サンプル容器
８．上端面
９．入口開口部
１０．周囲ビード
１１．濾過チャンバ
１２．１１の第一主壁
１３．１１の第二主壁
１４．１１の第一接続壁
１５．１１の第二接続壁
【００２４】
１６．フィルタ窓
１７．膜フィルタ
１８．下縁
１９．縦軸
２０．濃縮容積（デッドスペース）
２１．濃縮液チャンバ
２２．２１の第一主壁
２３．２１の第二主壁
２４．２１の第一接続壁
２５．２１の第二接続壁
２６．基部
２７．２１の傾斜角
２８．１２または１３の傾斜角
２９．フィルタカバー
３０．肩部
３１．凹部
３２．濾液チャネル
【図１】
0005960168.tif 000002
【図２−４】
0005960168.tif 000003
【図５−６】
0005960168.tif 000004
【図７−９】
0005960168.tif 000005